(57)【要約】【課題】  横臥、仰臥の理想とする枕の高さは起立した状態から得られる２種類の寸法であることは周知のところである。しかし、一般に広く使用されている多くの枕の高さは、横臥と仰臥の区別なく兼用で使用する１種類の高さである。【解決手段】  そこで本発明の枕は、変位装置内の第１可動芯体と第２可動芯体を手動操作により外方向に移動させ枕の中央部に大きな空洞部を作り出し、その空洞部の上部に載置する頭部の重量を利用して空洞部を押し潰し一時的に仰臥の高さを得たり、またその仰臥の高さを保持したり、更に第１可動芯体と第２可動芯体が互いに引き合う方向に付勢する付勢部材によって、頭部の動き（寝返りなどで頭を浮かす）に応じて強制的に仰臥から初期の横臥の高さに復元させたりすることができる枕である。【選択図】  図７
2011189005.tif 000002
【特許請求の範囲】
【請求項１】
扁平で直方体形状の箱体と、当該箱体の上部に配置した柔軟性を有する頭載部材と、当該頭載部材の下部に配置した頭部重量を利用して中央部の高さを外部より任意に可変し得る変位装置と、前記箱体、前記頭載部材及び前記変位装置を被覆した外被布とよりなり、前記変位装置は前記箱体の長手方向に移動する第１調整体と前記箱体の長手方向に移動する第２調整体とよりなり、前記第１調整体及び第２調整体は前記長手方向において互いに当接する方向に付勢されるとともに、その付勢に抗する力を外部より加えることによって前記第１調整体及び前記第２調整体は当接状態から互いに離間状態に変位するようになしたことを特徴とする枕。
【請求項２】
扁平で直方体形状の箱体と、当該箱体の上部に配置した柔軟性を有する頭載部材と、当該頭載部材の下部に配置した頭部重量を利用して中央部の高さを外部より任意に可変し得る変位装置と、前記箱体、前記頭載部材及び前記変位装置を被覆した外被布とよりなり、前記変位装置は前記箱体の長手方向の両側部に複数の芯材を並設して固着した固定芯材部と、前記箱体内で長手方向に摺動可能な基板上に複数の芯材を並設して固着した第１可動芯材部と前記箱体内で長手方向に摺動可能な基板上に複数の芯材を並設して固着した第２可動芯材部とよりなり、更に前記第１可動芯材部及び第２可動芯材部の芯材は前記固定芯材部の芯材と互いに遊動自在に嵌合する関係となし、前記第１可動芯材部と第２可動芯材部の端面は常時当接するように付勢され、その付勢に抗する力を外部より加えることによって前記第１可動芯材部と第２可動芯材部は当接状態から互いに離間するようになしたことを特徴とする枕。
【発明の詳細な説明】
【技術分野】
【０００１】
本発明は、就寝用の枕で詳しくは任意で枕の高さを低くしたり、また低くした高さを自動で復元したりすることができる変位装置を備えた枕に関するものである。
【背景技術】
【０００２】
従来就寝姿勢で高さを変えることができる枕は、数多く提案されている。例えば、枕本体内部に膨張・収縮させることのできる空気袋を配置して、枕本体の高さを任意設定できるようにする高低調整機能付枕（特許文献１）、パンタグラフ状の機構を用いた枕（特許文献２）、同機構を用いた折畳ミ枕（特許文献３）、バネ力を利用した高さが調節可能な箱まくら（特許文献４）等がある。
他方、興味ある枕として、枕の頭載部材の空洞内にリンク機構や引張ばねを用いて就寝姿勢に応じて自動的に高さを変化させることができる枕（特許文献５）がある。
【先行技術文献】
【特許文献】
【０００３】
【特許文献１】特開２００１―２５２１６１号公報
【特許文献２】特開平９−２７６１０８号公報
【特許文献３】実公昭９―１４２１５号公報
【特許文献４】実開昭５７−１７１７７９号公報
【特許文献５】特許第４２８６９０７号公報
【発明の概要】
【発明が解決しようとする課題】
【０００４】
身体にストレスをかけない枕の高さは、仰臥用と横臥用の２種類が理想とされている。しかし、一般に広く使用されている多くの枕の高さは、仰臥用でもなく横臥用でもない中間の高さ１種類のみが現状である。使用者は必要に応じて仰臥または横臥と任意に使い分けることができる枕の出現を切望している。
上記の希望を叶えようと提案されている先行技術文献欄に記載した特許文献１には、コンプレッサーを用いて膨張部材に空気を送り込み又は排出させて高さを変位させる機構が複雑であったり、特許文献２には、パンタグラフを昇降させる操作が煩雑であったり、特許文献３には、軸や梁などに金属材を多用しているため破損など事故の際人体に危害を及ぼす恐れがあったり、特許文献４には、頭部の重心位置によって「コジレ」や「ヒネリ」が生じスムーズな箱の上下動ができなかったり、特許文献５には、リンク機構を駆使して横臥位、仰臥位を自動的に変位させる枕が提案されているが頭載位置がシビアに設定されているため使用時の就寝姿勢が厳しく制約され、また敷布団上に載置し当接する硬直で変形しない金属製の下側リンクは柔軟な敷布団に添いにくく枕が不安定などの課題を残している。
【０００５】
そこで、本発明の枕は、簡単な操作と頭部重量を利用して元の横臥の高さから一時的に仰臥の高さを作り出したり、又その仰臥の高さを保持したり、更にその保持している仰臥の高さを寝返りや頭を浮かすなど頭部の動きに応じて、自動的に元の横臥の高さへ復元させたりすることができる変位装置を備えた枕の提供を目的としている。
【課題を解決するための手段】
【０００６】
上記目的を達成するため、本発明の請求項１に係る発明は、扁平で直方体の箱体と、当該箱体の上部に配置した柔軟性を有する頭載部材と、当該頭載部材の下部に配置した頭部重量を利用して中央部の高さを外部より任意に可変し得る変位装置と、前記箱体、前記頭載部材及び前記変位装置を被覆した外被布とよりなり、前記変位装置は、前記箱体の長手方向に移動する第１調整体と前記箱体の長手方向に移動する第２調整体とよりなり、前記第１調整体及び前記第２調整体は前記長手方向において互いに当接する方向に付勢されるとともに、その付勢に抗する力を外部より加えることによって前記第１調整体及び前記第２調整体は当接状態から互いに離間状態に変位するようになしたことを特徴とする枕を提供する。
【０００７】
本発明の請求項２に係る発明は、扁平で直方体の箱体と、当該箱体の上部に配置した柔軟性を有する頭載部材と、当該頭載部材の下部に配置した頭部重量を利用して中央部の高さを外部より任意に可変し得る変位装置と、前記箱体、前記頭載部材及び前記変位装置を被覆した外被布とよりなり、前記変位装置は前記箱体の長手方向の両側部に複数の芯材を並設して固着した固定芯材部と、前記箱体内で長手方向に摺動可能な基板上に複数の芯材を並設して固着した第１可動芯材部と前記箱体内で長手方向に摺動可能な基板上に複数の芯材を並設して固着した第２可動芯材部とよりなり、さらに前記第１可動芯材部及び第２可動芯材部の芯材は前記固定芯材部の芯材と互いに遊動自在に嵌合する関係となし、前記第１可動芯材部と第２可動芯材部の端面は常時当接するように付勢され、その付勢に抗する力を外部より加えることによって前記第１可動芯材部と第２可動芯材部は当接状態から互いに離間するようになしたことを特徴とする枕を提供する。
【発明の効果】
【０００８】
本発明の枕によって高さの違う２種類の枕が現存するごとき希望の臥位（横臥、仰臥）が自由に選択することが可能となる。また仰臥位から横臥位への移行は、無意識状態にあっても付勢部材の働きにより自動的に元の横臥位に復元される。従って理想に近い横臥姿勢、仰臥姿勢が得られることによりストレスが軽減されより良い睡眠が期待される。
【図面の簡単な説明】
【０００９】
【図１】第１可動芯体の斜視図である。
【図２】一部を切欠した第２可動芯体の斜視図である。
【図３】箱体の一部と固定芯材部の一部を切欠した変位装置の斜視図である。
【図４】第１及び第２可動芯体を外方向に移動させた変位装置の斜視図である。
【図５】箱体のみの斜視図である。
【図６】箱体の展開図で斜線部は固定芯材部の形成予定位置を示し、破線は谷折り予定位置を示す。
【図７】作用等を示す説明図である。
【図８】第１基板と第２基板の関係を示す平面図である。
【図９】図８のＱ−Ｑ´線切断部端面図に可動芯材部を加えた説明図である。
【発明を実施するための形態】
【００１０】
以下、本発明の実施例につき図面を参照しつつ説明する。
図７は、全体的な構成を概略的に説明する図であり、図７において、扁平で直方体形状の箱体４と当該箱体４の上部に配置した柔軟性を有する頭載部材１０と、当該頭載部材１０の下部に配置した変位装置Ｘとがあり、これら箱体４、頭載部材１０及び変位装置Ｘは外被布１３によって被覆されている。
【００１１】
更に、変位装置Ｘは後で詳述するが、箱体４内で長手方向に移動する第１調整体Ｙと第２調整体Ｚとよりなり、第１調整体Ｙ及び第２調整体Ｚは前記長手方向において常時は（枕の不使用時などのとき）、互いに当接する方向に付勢されるとともに、その付勢に抗する力を外部に加えることにより（例えば、ボンボリ９ａ、９ｂを外方に引張ることにより）、前記第１調整体Ｙ及び前記第２調整体Ｚは当接状態から互いに離間状態に変位するようになしている。離間状態において例えば頭部を枕上部にのせることにより枕の中央部の厚み（高さ）が減じ、枕の高さの加減ができるようにしている。
また、頭を枕より離すと、後述する付勢力により自動的に第１調整体Ｙと第２調整体Ｚ
が再び内側方向に移動し、最終的には両調整体が当接状態で安定する。
【００１２】
以下は、上記第１調整体及び第２調整体の具体的な一例を詳述する。
図３及び図４に示す本発明の枕内部に備えた変位装置Ｘの概略は、箱体４内部両側部に複数の芯材からなる固定芯材部３ａ及び固定芯材部３ｂを有し、該固定芯材部３ａ、３ｂ間の隙間に遊動自在に嵌合する一軸方向に摺動自在に組まれた第１基板１ａと第２基板２ａがあり、これらは互いに引き合う内方向に付勢する付勢部材６ａ、６ｂにより付勢され、第１基板１ａ上に設けられた第１可動芯材部１ｂと第２基板２ａ上に設けられた第２可動芯材部２ｂが常時は当接した関係にある。
【００１３】
図１及び図８に示す第１基板１ａは、一端が略Ｅの字形状をした櫛歯形状部と他端にも櫛歯形状部を有する厚み約１ｍｍの厚紙からなり、前記第１基板１ａの中央近傍に長手方向と交差する短冊形状の開口部５を設けている。
また、前記略Ｅの字形状をした櫛歯形状部の両側部の先端部には、付勢部材６ａを係止する係止溝１６ａ、１６ｂと付勢部材６ｂを係止する係止溝１６ｃ、１６ｄを形成し、更に引き部材７ａ、７ｂを係止する係止孔１７ａ、１７ｂを形成している。
図１に示す第１可動芯体１は、前記第１基板１ａと第１可動芯材部１ｂとからなり、同第１可動芯材部１ｂは第１基板１ａの略Ｅの字形状をした櫛歯形状部の平面上に添って長さ約１７０ｍｍ、幅約２８ｍｍ、高さ約３７ｍｍのポリプロピレン製芯材を主に芯材部を形成している。
【００１４】
図２に示す第２可動芯体２は、開口部を除いて前記第１可動芯体と略同様に形成されている。
【００１５】
図５及び図６に示す箱体４の長手方向両側面の中央には、前記付勢部材６ａ、６ｂによる付勢力に抗して外方向に力を加える引き部材７ａ、７ｂ、７ｃ、７ｄを通したり、或いは第１可動芯体１及び第２可動芯体２が移動時に生じる空気の出入口となる小窓１４ａ、１４ｂを形成している。また箱体４の正面及び背面には、頭部や首部が昇降する際の障害とならないように縦約４０ｍｍ、横約３２０ｍｍの大窓１５ａ、１５ｂを形成している。更に箱体蓋部を左右に２等分する隙間Ｓを設けている。
【００１６】
図８及び図９に示す第１基板１ａと第２基板２ａとの関係は、第１基板１ａの開口部５から第２基板２ａのストッパー１８ａ、１８ｂを挿入させ当該第２基板２ａと第１基板１ａとが交差して重なり摺動自在に組まれている。
ここで、ストッパー１８ａ、１８ｂ及びストッパー１８ｃ、１８ｄは常時箱体の側面に当接している。
【００１７】
図６に示す斜線部分が固定芯材部を形成する予定位置で、該予定位置間の隙間１９ａ、１９ｂ、１９ｃ、１９ｄには、前記交差して重なり摺動自在に組まれた第１基板１ａの略Ｅの字形状をした櫛歯形状部と第２基板２ａのストッパー１８ａ、１８ｂが遊動自在に嵌め込まれている。また前記同様に予定位置間の隙間１９ｅ、１９ｆ、１９ｇ、１９ｈには、第２基板２ａの略Ｅの字形状をした櫛歯形状部と第１基板１ａのストッパー１８ｃ、１８ｄが遊動自在に嵌め込まれている。
【００１８】
図３に示す固定芯材部３ａ及び固定芯材部３ｂは、箱体４の長手方向の内部両側部に所定の隙間を設けて前後方向に並設する長さ約１４０ｍｍ幅約２０ｍｍ高さ約４０ｍｍでポリプロピレン製の芯材を複数個固着して形成している。
【００１９】
図４及び図８に示す第１基板１ａ及び第２基板２ａ双方の略Ｅの字形状をした櫛歯形状部の先端部には、互いが引き合う方向に付勢する織ゴムからなる付勢部材６ａと６ｂの２本を係止している。その１本は、係止溝１６ａ、１６ｂと係止溝１６ｅ、１６ｆ間に係止し、残る１本は係止溝１６ｃ、１６ｄと係止溝１６ｇ、１６ｈ間に係止している。
【００２０】
続いて、第１基板１ａの略Ｅの字形状をした櫛歯形状部の先端部には、前記付勢力に抗する力を伝える堅牢な綴じ紐からなる引き部材７ａ、７ｂを係止孔１７ａ、１７ｂに係止している。また第２基板２ａの略Ｅの字形状をした櫛歯形状部の先端部には、前記同様付勢力に抗する力を伝える堅牢な綴じ紐からなる引き部材７ｃ、７ｄを係止孔１７ｃ、１７ｄに係止している。
【００２１】
次に、図７に示す上述した変位装置Ｘの上部には、長さ約６００ｍｍ、幅約１８０ｍｍ、厚さ約２５ｍｍでクッション材等からなる頭載部材１０を載置しそれらを外被布１３で覆っている。
続いて、基板１ａ、２ａに係止した引き部材７ａ、７ｂ及び７ｃ、７ｄの他端は、外被布１３を貫通し外部において結び環状体を形成している。更に前記環状体には、ボンボリ９ａ、９ｂを付設し環状体を捜し出し易くしている。
【００２２】
なお、本発明の材料やサイズは、上述に限定するものでなく例えば芯材に発泡スチロールなど保形できる材料であれば何れでもよく、基板の材質にダンボールや合成樹脂板、また可動芯体は、基板と芯材部とを一体にブロー成形、射出成形、中空成形、インジェクション成形等により成形してもよい。
また、首や肩を保護する保護部材として、天然綿を内包した直径約６５ｍｍ、長さ約６００ｍｍの略円柱状布団による保護部材（図示しない）を変位装置Ｘの正面と外被布１３との間に装着してもよい。
また、変位装置Ｘの下部には、使用者の体型や希望に合わせ高さ調整が可能にする図７に示す厚紙や発泡材など柔軟な板状体からなる高さ調整用部材１２を抜き差し自在に備えてもよい。
【００２３】
（作用）
図７の実線で示す操作前の枕の高さは、頭載部材１０、変位装置Ｘ、高さ調整用部材１２を含む約８５ｍｍである。
図７に示す引き部材７ａ、７ｂより形成される環状体と引き部材７ｃ、７ｄより形成される環状体に親指を掛け外方向に引くことによって当接していた第１可動芯材部１ｂと第２可動芯材部２ｂとが離間し枕の中央部には、横幅約２６０ｍｍ、高さ約４０ｍｍ、奥行き約１８０ｍｍの空洞部Ｋが生まれる。
続いて、空洞部Ｋの最上部に頭部１１を載置すれば頭部は、破線で示す頭部重量（成人約９ｋｇ）によって外被布１３、頭載部材１０及び箱体蓋部中央４ａ、４ｂを押下げ空洞部Ｋ内に落ち込み頭載部材１０の圧縮量を含む約５５ｍｍ下降する。
【００２４】
次に、図４に示す第１基板１ａと第２基板２ａは、互いが常に引き合う方向に付勢部材６ａ、６ｂで付勢されているが下降した頭部の重量によって共に押さえ付けられているがため戻ることが出来ず一時的に静止している。
続いて、寝返り等で頭を動かした（浮かした）際に頭部重量による押さえ付けが解除され第１基板１ａと第２基板２ａは、付勢部材６ａ、６ｂの付勢力によって強制的に元の位置に戻されると共に枕の高さが元の約８５ｍｍに復元される。
【００２５】
更に、より詳しく説明する。
図７に示す枕の操作は、ボンボリ９ａと外被布１３との間に位置する環状体の引き部材７ａ、７ｂとボンボリ９ｂと外被布１３との間に位置する環状体の引き部材７ｃ、７ｄの双方に親指を掛け外方向に引いて行うが実線に示す使用者の頭部１１を載置した状態では、頭部重量によって頭載部材１０などを介して第１基板１ａと第２基板２ａが押さえつけられているため引くことができない。
従って実際には、枕が頭部重量を受けない状態（頭部を少し浮かした状態）で引く。
【００２６】
図４に示す前記の引く操作によって、引き部材７ａ、７ｂに連なる第１基板１ａと第１可動芯材部１ｂとからなる第１可動芯体１及び引き部材７ｃ、７ｄに連なる第２基板２ａと第２可動芯材部２ｂとからなる第２可動芯体２は、箱体４の内部両側部に移動する。その移動により枕の中央部には、横最大約２６０ｍｍ、縦約４０ｍｍ、奥行き約１８０ｍｍの空洞部Ｋが生まれる。
【００２７】
図７に示す前記空洞部Ｋの上部には、箱体蓋部中央４ａ、４ｂ、頭載部材１０、外被布１３を有し、下部には第２基板２ａ、第１基板１ａ、付勢部材６ａ、６ｂと箱体底部や高さ調整用部材を有している。
続いて、上記の引っ張った状態で浮かしている頭部１１を下げれば頭部重量（成人約９ｋｇ）によって枕中央部は、破線で示す状態に押し潰されると共に頭部が約５５ｍｍ下降する。
その下降によって第１基板１ａと第２基板２ａは、たとえ引き部材７ａ、７ｂ、７ｃ、７ｄの環状体から親指を離しても頭部重量によって押さえつけられているがため戻ることがなく、頭部を浮かすなど動かさない限り付勢力を制し静止し続ける。
【００２８】
仰臥位から横臥位への変位は、上記操作により枕の高さ約３０ｍｍの仰臥位から頭を浮かさない限り仰臥位を維持され続けるが、寝返りなど頭を浮かす動きがあれば付勢力により間髪を入れず第１可動芯体１及び第２可動芯体２が強制的に元の位置に戻される。
従って、元の横臥の高さは約８５ｍｍに変位復元される。
また、元の横臥の高さ約８５ｍｍから最大約５５ｍｍ低く変位させることができる変位量は、頭部の動かす（浮かす）度合いにより例えば５０ｍｍ、４５ｍｍ、４０ｍｍ、３５ｍｍ、３０ｍｍ、２５ｍｍ、２０ｍｍと無段階に変位させることが可能である。
使用について、本発明の枕は顔面を枕に載置する伏臥姿勢での使用も可能である。
【００２９】
これまでの操作説明は、第１可動芯体及び第２可動芯体の双方を同時に移動させる操作であったが、以下に第１可動芯体または第２可動芯体の何れか片方のみの操作による使用例について説明する。
その使用例とは、長時間の横臥姿勢から生じる耳圧迫痛の軽減を可能とする使用例である。
横臥姿勢の状態で片方の手先を枕の側面に当てがい他方の手で同側面の引き部材を引くことにより片方の可動芯体のみ移動させることが出来る。
利き手によって操作位置が変わるが、例えば第１可動芯体１のみを右に移動しても第２可動芯体２の動きは、先端面が箱体４の右内部側面に当接しているストッパー１８ａ、１８ｂによって動くことなく第１可動芯体１のみが独立して右に移動させることができる。
前記第１可動芯体１の独立移動によって枕の略中央には、上述の大きな空洞部Ｋの１/２である小さい空洞部を生じさせることができる。
その小さな空洞部の上部に耳部を載置し圧迫痛を軽減させることができる。
なお、本発明に使用する頭載部材には、可動芯体の復元を妨げることがない軽量で、且つ頭部が蒸れにくい柔軟性を有する頭載部材が好ましい。ついては本発明者が別途開発した蒸れにくい枕（平成22年3月特許出願）で提案する頭載部材を推奨する。
【符号の説明】
【００３０】
Ｘ                      変位装置
Ｙ                      第１調整体
Ｚ                      第２調整体
１                      第１可動芯体
１ａ                    第１基板
１ｂ                    第１可動芯材部
２                      第２可動芯体
２ａ                    第２基板
２ｂ                    第２可動芯材部
３ａ、３ｂ              固定芯材部
４                      箱体
５                      開口部
６ａ、６ｂ              付勢部材
７ａ、７ｂ、７ｃ、７ｂ  引き部材
【図１】
2011189005.tif 000003
【図２】
2011189005.tif 000004
【図３】
2011189005.tif 000005
【図４】
2011189005.tif 000006
【図５】
2011189005.tif 000007
【図６】
2011189005.tif 000008
【図７】
2011189005.tif 000009
【図８】
2011189005.tif 000010
【図９】
2011189005.tif 000011